(57)【要約】【課題】簡単な構造でありながら、釣り用錘をハリスの適正位置に容易、かつ堅固に固定できるうえ、錘付きハリスの紛失なども回避できる釣り用錘の固定用治具を提供する。【解決手段】治具本体１の上面１ｃに、ハリス挿入用の割り込み部Ｍａを有する複数の釣り用錘Ｍが列状に載置可能な溝条１３を形成するとともに、この溝条１３と交差して前記上面１ｃを横断するスリット１４を形成し、前記溝条１３内に載置された釣り用錘Ｍを引き離し可能に粘着・保持させる粘着層１５を設ける。【選択図】        図１
2004329114.tif 000002
【特許請求の範囲】
【請求項１】
（１）    治具本体と、
（２）    前記治具本体の上面に形成されて、ハリスかしめ止め用のＶ形の割り込み部を有する複数の釣り用錘を一列状に載置可能な溝条と、
（３）    前記治具本体の上面に溝条の長手方向で互いに或る間隔を存して配されるとともに、該溝条と交差する方向で治具本体を横断して形成された複数のスリットと、
（４）    前記溝条内に形成されて、前記錘の割り込み部を前記スリットと同一直線上に位置させて該錘が溝条に載置された際に、この錘を溝条内に引き離し可能に粘着・保持させる粘着層と、
を備えていることを特徴とする釣り用錘の固定用治具。
【発明の詳細な説明】
【０００１】
【発明の属する技術分野】
この発明は、ハリスかしめ止め用のＶ形の割り込み部を有する釣り用錘（噛み潰し錘）をハリスに固定する際に使用する釣り用錘の固定用治具に関する。
【０００２】
【従来の技術】
一般に、この種の錘は、袋や専用ケースなどの容器にばらばらで収容されており、使用する際には、その容器から錘を１個だけ指で摘んで取り出し、図８に示すように、その錘Ｍに形成されているハリス挿入用の割り込み部ＭａにハリスＮを挿入してから、錘Ｍを歯で噛み潰したり手やプライヤで潰してかしめ止めすることにより、該錘ＭをハリスＮに固定している。
【０００３】
ところが、容器から釣り用錘Ｍを摘まみ出したままで割り込み部ＭａにハリスＮを挿入するので、錘Ｍのサイズが小さくなれば、それを摘むのさえ難しいうえ、少しでも手元が動くと、ハリスＮの挿入に手間が掛かったり、錘Ｍを指先から落とし紛失することも多くある。このため、従来、釣り用錘Ｍを潰さなくてもハリスにかしめ止めできるようにした治具が知られている。
【０００４】
その治具は、例えば錘を収容する容器などの側壁にＶ形切り欠き部を介して対向する錘潰し用の押圧片部を連成し、この押圧片部と上記側壁との各対向面に、大きさの異なる複数種の錘保持用の孔部を形成し、選択された孔部に挿入された錘の割り込み部にハリスを挿入した状態で前記押圧片部をその下端を支点にして容器側壁側に押圧操作することにより、該押圧部と側壁とで圧着力で前記錘をかしめ止めするようにしたものである（例えば、特許文献１参照）。
【０００５】
また、これとは別にハリス固定具の型枠に、所定圧着位置に挿入された錘を保持する左右の一対のヘッド部を設け、錘の割り込み部にハリスを挿入した状態で前記ヘッド部をその一端を支点にして押圧して該錘をかしめ止めして型枠から押し出すとともに、弾性支持された錘をヘッドを押圧する毎に前記圧着位置に変移させる構成も提案されている（特許文献２参照）。
【０００６】
【特許文献１】
実開昭６０−５５３７５号公報（第３頁  第６頁  第２−第４図）
【０００７】
【特許文献２】
実登第３０６６２５１号（第９頁  第１図−第２図）
【０００８】
【発明が解決しようとする課題】
しかし、上記従来の前者のものは、サイズの異なる複数種の孔部が形成されているので、容器から取り出した釣り用の錘を、うっかり錘サイズに合わない孔部に挿入することもあり、その場合、錘を入れ換えなければならない。また、錘を大きな孔部に挿入したままで前記押圧片部と容器側壁とで錘をかしめ止め操作すると、操作時に錘が微妙に動いて前記ハリスに対して適正に固定することができない。
【０００９】
とくに、前記孔部に挿入された錘をかしめ止めするには、大きなかしめ力が必要であるが、上記支点が力点の外側に存在している押圧片部を側壁に押圧操作する構造であるから、押圧操作力の割には大きなかしめ力が得られず、かしめ止め不良を招くおそれは避けられない。
【００１０】
また、上記従来の後者のものは、ハリス固定具の型枠に一対のヘッドなどを設けるので、構造が複雑になるうえ、この場合も、大きなかしめ力が得られず、やはりかしめ止め不良を招きやすい。
【００１１】
このことから、釣り用錘をかしめ止めするには、ペンチやプライヤなどのように、支点が力点と作用点との間の作用点寄りにある締め付け工具を使用して該錘をかしめ止めするのが好ましい。しかし、そのような締め付け工具を使う場合、かしめ止めする際の釣り用錘を何らかの手段に安定保持してないと、かしめ作業が良好に行えないし、かしめ止めして得られた錘付きハリスの保持手段がないと、錘付きハリスを魚釣り現場の地面などにおいて見失うおそれがある。
【００１２】
この発明は、上記実情に鑑みてなされたものであり、簡単な構造でありながら、釣り用錘をサイズに拘らず、ハリスの適正位置に容易、かつ堅固に固定できるうえ、錘付きハリスの紛失なども回避できる釣り用錘の固定用治具を提供することを課題とする。
【００１３】
【課題を解決するための手段】
この発明に係る釣り用錘の固定用治具Ａは、
「治具本体１と、
前記治具本体１の上面に形成されて、ハリスかしめ止め用のＶ形の割り込み部Ｍａを有する複数の釣り用錘Ｍを一列状に載置可能な溝条１３と、
前記治具本体１の上面に溝条１３の長手方向で互いに所定間隔を存して配されるとともに、該溝条１３と交差する方向で治具本体１を横断して形成された複数のスリット１４と、
前記溝条１３内に形成されて、前記錘Ｍの割り込み部Ｍａを前記スリット１４と同一直線上に位置させて該錘Ｍが溝条１３に載置された際に、この錘Ｍを溝条１３内に引き離し可能に粘着・保持させる粘着層１５とを備えている」ことを特徴とする。
【００１４】
この釣り用錘の固定用治具Ａでは、容器から取り出した１個もしくは複数の錘Ｍの割り込み部Ｍａを上向きにするとともに、該割り込み部Ｍａが前記各スリット１４と同一直線上になる向きにして溝条１３に載置すれば、複数の釣り錘Ｍが粘着層１５を介して引き離し可能に粘着・保持される。
【００１５】
釣り用錘Ｍが溝条１３内に粘着・保持されて動いたりすることがないので、ハリスＮを前記割り込み部Ｍａ内に速やかに挿入することが可能であり、またスリット１４によりハリスＮの挿入が治具本体１の上面１ｃに当って規制されることもなく、従って該ハリスＮが前記割り込み部Ｍａの所定深さ位置まで達し、適正な挿入状態が確保される。
【００１６】
釣り用錘Ｍが溝条１３に安定保持されるので、該錘ＭのハリスＮへのかしめ止めにペンチなどの締め付け工具Ｐを使用できる。つまり、ハリスＮが割り込み部Ｍａに挿入された釣り用錘Ｍを締め付け工具Ｐを使って小さな操作力で適正にかしめ止めすることが可能となる。また、ハリスＮにかしめ止めされた釣り用錘Ｍが前記粘着層１５に粘着・保持されているので、この錘付きハリスＮを紛失するおそれもなくなる。
【００１７】
【発明の実施の形態】
以下、この発明の実施形態を図面に基づいて説明する。図１は、この発明の一実施形態にかかる釣り用錘の固定用治具Ａを示す分解斜視図である。図１において、この釣り用錘Ｍの固定用治具Ａは、概ね、治具本体１とカバー２とから構成されている。
【００１８】
治具本体１は、例えば木材ないしは合成樹脂などを構成材とする細長ブロック体からなり、地面などに安定設置できる下太り形状、例えば正面形状が略台形に成形されており、幅方向の両側面１ａ，１ｂには、長手方向全長にわたる係合溝１１，１２がそれぞれ形成されている。勿論、治具本体１は、細長状のものに限られるものではない。
【００１９】
前記治具本体１の上面１ｃには、幅方向略中央に位置して断面形状が円弧状の溝条１３が形成されている。この溝条１３は、Ｖ形の割り込み部Ｍａが形成されている釣り用錘Ｍを複数個列状に載置できるように、治具本体１の長手方向全長にわたって形成されている。なお、前記溝条１３の断面形状は任意に変更可能であるが、この例のように円弧状に形成してあると、釣り用錘Ｍの大小にかかわらず、安定保持が可能である。
【００２０】
前記治具本体１の上面１ｃには、上記溝条１３と直交する方向で治具本体１を横断する複数のスリット１４が長手方向で互いに所定間隔（間隔は一定又は一定でなくともよい）を存して形成されている。
【００２１】
このスリット１４は、前記溝条１３に載置された釣り用錘Ｍの割り込み部ＭａにハリスＮを挿入操作した際に、このハリスＮが図３に示すように、治具本体１の上面１ｃで規制されることなく釣り用錘Ｍの割り込み部Ｍａの所定深さ位置（最奥位置）まで確実に至らせるものであり、このためスリット１４の底面１４ａは、前記割り込み部Ｍａの最奥位置よりも下方に位置するように設定されている。
【００２２】
前記溝条１３内は、載置された釣り用錘Ｍを引き離し可能に粘着・保持させる粘着層１５が形成されている。この粘着層１５は、例えば両面テープを貼着したもので構成されている。粘着層１５を粘着剤のコーティング層で構成してもよいが、この例のように、両面粘着テープを貼着するようにすれば、粘着性が劣化した際に直ぐに貼り換えることができる。
【００２３】
前記カバー２は、例えば金属板などを門形に成形したものであり、その両立ち下がり片部２１ａ，２１ｂの先端には、それぞれ内方側に突出し、前記治具本体１における係合溝１１，１２に挿脱可能に係合する係合条片２１，２２が一体形成されている。このカバー２は、必須のものではないが、これを装着することにより、携行時や釣り現場などで粘着層１５に塵埃などが付着するのを極力防止できる。
【００２４】
なお、このカバー２／治具本体１に、前記釣り用錘Ｍやこの錘Ｍをかしめ止めする際に使用するペンチなどの締め付け工具Ｐを格納するように構成することも可能である。
【００２５】
つぎに、上記構成における釣り用錘の固定治具の使用手順を説明する。まず、釣り現場で前記カバー２を外した後、袋や専用ケースなどの容器から取り出した複数の釣り用錘Ｍを図２に示すように、前記治具本体１の溝条１３上に列状に載置する。具体的には、上記錘Ｍの割り込み部Ｍａを上向きにするとともに、該割り込み部Ｍａが前記各スリット１４と同一直線上になる向きにする。これにより、複数の釣り錘Ｍが、前記溝条１３内に前記所定間隔（スリット１４に交差する部位）毎に配列されるとともに、それぞれ溝条１３に粘着層１５を介して引き離し可能に粘着・保持される。
【００２６】
ここで、治具本体１の上面１ａに溝条１３やスリット１４を形成し、溝条１３内に粘着層１５を形成するだけの比較簡単な構成により、容器から取り出した複数の釣り用錘Ｍが溝条１３内に安定的な支持させることができる。
【００２７】
この後、釣り用錘Ｍの上方から図２に示すように、ハリスＮを前記スリット１４に沿わせながら釣り用錘Ｍの割り込み部Ｍａに挿入する。前記錘Ｍの割り込み部ＭａにハリスＮを挿入する際に、該錘Ｍが溝条１３内に粘着・保持されて動いたりすることがないので、釣り用錘Ｍのサイズにかかわらず、ハリスＮを前記割り込み部Ｍａ内に速やかに挿入することができるうえ、ハリスＮをスリット１４に挿入すれば、該ハリスＮが治具本体１の上面１ｃで規制されることなく、図３に示すように、前記割り込み部Ｍａの所定深さ位置まで達するので、ハリスＮの適正挿入状態が確保される。
【００２８】
釣り用錘Ｍの割り込み部ＭａにハリスＮを挿入した状態で、該錘Ｍを図４に示すように、ペンチなどの締め付け工具Ｐを使用してかしめ止めすると、ハリスＮに錘Ｍが固定され、図５に示す錘付きハリスＮを得ることができる。
【００２９】
この締め付け工具Ｐによるかしめ作業時にも、前記釣り用錘Ｍが安定的に支持されているので、かしめ作業が順調に行え、しかも、この締め付け工具Ｐの使用により、小さな操作力でも十分なかしめ力が得られ、かしめ状態が堅固なものとなる。
【００３０】
図６および図７は、この発明の他の実施形態を示す。図６および図７において、前記治具本体１の左右両側面１ａ，１ｂには、係合凹部３１，３２が形成される一方、カバー２の左右両側には、立ち下がり係止片４１ａ，４１ｂが連成されており、これら係止片４１ａ，４１ｂの各先端には、内方向きの係合凸部４２ａ，４２ｂが形成されている。前記カバー２を上方から治具本体１に差し込む操作して装着すれば、係止片４１ａ，４１ｂが拡開して弾性変形し、その復元力により前記係合凹部３１，３２に係合凸部４２ａ，４２ｂが弾性的に係合するようになっている。
【００３１】
また、このカバー２の内面には、前記溝条１３内でハリスＮにかしめ止めされた釣り用錘Ｍに対して該カバー２の装着状態で弾性的に押圧するクッション部材、例えばスポンジ４３が設けられている。
【００３２】
前記粘着層１５の粘性が径年的に劣化していると、魚釣り現場を移動したりする際の振動などにより、ハリスＮにかしめ止めされた釣り用錘Ｍが溝条１３から落ちて紛失するおそれも否定できない。
【００３３】
これに対して、この実施形態の構成では、上記移動に際してカバー２を装着しておけば、図７に示すように前記スポンジ４３により釣り用錘Ｍが押圧され、前記釣り用錘Ｍが落ちるのが確実に防止できる。勿論、前記カバー２の内面で直接釣り用錘Ｍを押さえてもよいが、この例のようにスポンジ４３を設けてあると、サイズが異なる釣り用錘Ｍでもがたつくことなく押圧できる。
【００３４】
【発明の効果】
以上のように、この発明によれば、冶具本体の上面に、ハリスかしめ止め用の割り込み部を有する釣り用錘が載置される溝条ならびに溝条と交差して冶具本体の上面を横断するスリットを形成し、前記溝条内に粘着層を設ける簡単な構成により、溝条内に載置した釣り用錘を粘着・保持させた状態でハリスを前記割り込み部に容易に適正位置まで挿入できるとともに、この錘の保持状態で締め付け工具を使用して前記錘を的確にかしめ止めすることができ、また、ハリスにかしめ止めされた錘を紛失のおそれもなく置き揃えておくことも可能となり、ハリスの交換をいつでも迅速に行うことができる。
【図面の簡単な説明】
【図１】この発明の実施形態にかかる釣り用錘の固定用治具を示す分解斜視図である。
【図２】同じく釣り用錘の固定用治具の溝条に載置した釣り用錘の割り込み部にハリスを挿入する作業を示す斜視図である。
【図３】同じく釣り用錘の割り込み部にハリスを挿入する状況説明図である。
【図４】同じく釣り用錘を締め付け工具でかしめ止めする作業を示す斜視図である。
【図５】同じくかしめ止め作業で得られた錘付きハリスを示す斜視図である。
【図６】この発明の実施形態にかかる釣り用錘の固定用治具を示す分解斜視図である。
【図７】同じくカバー装着状態での断面図である。
【図８】指で摘んだ釣り用錘の割り込み部にハリスを挿入する従来作業の説明図である。
【図９】本発明品の使用状態を説明する図
【符号の説明】
１・・・・・・・・治具本体
１ｃ・・・・・・・治具本体の上面
１３・・・・・・・溝条
１４・・・・・・・スリット
１５・・・・・・・粘着層
Ｍ・・・・・・・・釣り用錘
Ｍａ・・・・・・・釣り用錘の割り込み部
【図１】
2004329114.tif 000003
【図２】
2004329114.tif 000004
【図３】
2004329114.tif 000005
【図４】
2004329114.tif 000006
【図５】
2004329114.tif 000007
【図６】
2004329114.tif 000008
【図７】
2004329114.tif 000009
【図８】
2004329114.tif 000010
【図９】
2004329114.tif 000011